(57)【要約】【課題】吐水に対する誤認を防止できる吐水ヘッド及び浄水カートリッジの提供。【解決手段】吐水ヘッド８は、原水吐出状態と浄水吐出状態とを切り替える切替機構を有する。この切替機構は、回転操作部１４と、回転操作部１４に連動して回転し、原水吐出状態では第１回転位置Ｒ１にあり、浄水吐出状態では第２回転位置Ｒ２にある被規制部材４４とを有している。第１位置Ｐ１にある規制部材５０は、被規制部材４４の第１回転位置Ｒ１から第２回転位置Ｒ２への回転を規制している。第２位置Ｐ２にある規制部材５０は、被規制部材４４の第１回転位置Ｒ１から第２回転位置Ｒ２への回転を許容している。被規制部材４４は、原水吐出状態と浄水吐出状態とを切り替えうる切替弁である。被規制部材４４は、切替弁でなくてもよい。【選択図】図９
2020079510.tif 000002
【特許請求の範囲】
【請求項１】
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部を有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記被規制部材が、原水吐出状態と浄水吐出状態とを切り替えうる切替弁である浄水機能付き吐水ヘッド。
【請求項２】
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部を有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記被規制部材の回転軸が、前後方向に沿った直線である浄水機能付き吐水ヘッド。
【請求項３】
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部と接続端部とを有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記規制部材が、前記浄水カートリッジの前記接続端部を受け入れるカートリッジ受入部を有している浄水機能付き吐水ヘッド。
【請求項４】
前記被規制部材が、前記規制部材の先端部を受け入れる規制部材受入部を有しており、
前記被規制部材及び前記規制部材が、前記浄水流路と前記原水流路とを仕切る流路形成部を構成している請求項３に記載の浄水機能付き吐水ヘッド。
【請求項５】
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部を有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記第１状態が、前記規制部材の並進移動における第１位置であり、
前記第２状態が、前記規制部材の並進移動における第２位置である浄水機能付き吐水ヘッド。
【請求項６】
前記規制部材が、前記第１位置では前記被規制部材と係合して当該被規制部材の回転を阻止し、前記第２位置では前記被規制部材と係合せず当該被規制部材の回転を許容する規制係合部を有しており、
前記被規制部材が、前記規制部材が前記第１位置にあるとき前記規制係合部と係合する回転阻止部と、前記規制部材が前記第２位置にあるとき前記規制係合部との係合を回避する回転許容部とを有している請求項５に記載の浄水機能付き吐水ヘッド。
【請求項７】
前記規制部材と前記被規制部材との間に弾性体が配置されており、
この弾性体が、前記規制部材を第１位置側に付勢している請求項５及び６に記載の浄水機能付き吐水ヘッド。
【請求項８】
前記規制部材が、前記浄水カートリッジの前記規制解除部に当接する規制解除当接部を有しており、
前記規制解除部が、前記浄水カートリッジの中心線と同軸の円環面であり、
前記規制解除当接部が、前記浄水カートリッジの中心線と同軸の円環面である請求項１から７のいずれか１項に記載の浄水機能付き吐水ヘッド。
【請求項９】
前記操作部の回転軸、前記被規制部材の回転軸、前記規制部材の中心線、及び、前記浄水カートリッジの中心線が同一である請求項１から８のいずれか１項に記載の浄水機能付き吐水ヘッド。
【請求項１０】
請求項１から９のいずれか１項に記載の浄水機能付き吐水ヘッドを備えた水栓装置。
【請求項１１】
請求項１から９のいずれか１項に記載の浄水機能付き吐水ヘッドにおける前記カートリッジ装着部に装着される浄水カートリッジであって、
前記規制部材を前記第１状態から前記第２状態へと移行させる前記規制解除部を有している浄水カートリッジ。
【請求項１２】
原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジであって、
浄水機能部と、
前記カートリッジ装着部に装着されることで、前記規制部材を前記第１状態から前記第２状態へと移行させる規制解除部と、
前記規制部材に水密に接続される接続端部とを有する浄水カートリッジ。
【請求項１３】
原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジであって、
浄水機能部と、
前記浄水機能部の下流側に配置された接続端部と、
前記カートリッジ装着部に装着されることで、前記規制部材を前記第１状態から前記第２状態へと移行させる規制解除部と、を有しており、
前記接続端部が、前記規制部材の内側に挿入される浄水カートリッジ。
【請求項１４】
原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジであって、
浄水機能部と、
前記浄水機能部の下流側に配置された接続端部と、
前記カートリッジ装着部に装着されることで、前記規制部材を前記第１状態から前記第２状態へと移行させる規制解除部と、を有しており、
前記浄水カートリッジの中心線が前記規制部材の中心線と一致するように、前記カートリッジ装着部に配置される、浄水カートリッジ。
【請求項１５】
前記第１状態が、前記規制部材の並進移動における第１位置であり、
前記第２状態が、前記規制部材の並進移動における第２位置である、請求項１１から１４のいずれか１項に記載の浄水カートリッジ。
【発明の詳細な説明】
【技術分野】
【０００１】
本開示は、浄水機能付き吐水ヘッド、浄水カートリッジ及び水栓装置に関する。
【背景技術】
【０００２】
水質浄化用カートリッジを内蔵し、浄水機能を有する吐水ヘッドが知られている。特許第３４５４７５６号公報は、原水流路と浄水流路との切り替えが可能な浄水機能付きシャワーヘッドを開示する。特許第６３５６９４０号公報は、吐出口からの吐水が原水か浄水かを切り替えうる切替機構を有する浄水機能付き吐水ヘッドを開示する。
【先行技術文献】
【特許文献】
【０００３】
【特許文献１】特許第３４５４７５６号公報
【特許文献２】特許第６３５６９４０号公報
【発明の概要】
【発明が解決しようとする課題】
【０００４】
この種の吐水ヘッド又は当該吐水ヘッドを有する水栓装置は、原水と浄水との切替を可能とする操作部を有する。吐水が原水か浄水かを表示する表示部が設けられている場合もある。
【０００５】
操作、操作部の状態、表示等を通じて、使用者は、吐水が原水か浄水かを認識しうる。浄水カートリッジの入れ忘れ等の理由で、浄水カートリッジが入っていない状態が生じうるが、この状態でも、使用者は、浄水が出ていると誤解したまま水栓を使用することがある。すなわち、実際には原水が出ているのにも関わらず、浄水が出ていると誤認される事態が起こる。
【０００６】
そこで、特許第６３５６９４０号公報に記載の吐水ヘッドでは、浄水カートリッジが装着されていない時に原水から浄水への切替を規制する規制部材が設けられている。
【０００７】
本開示は、特許第６３５６９４０号公報とは異なる構成により前記誤認を防止しうる吐水ヘッドに関するものである。
【０００８】
本開示は、吐水に対する誤認を防止しうる浄水機能付き吐水ヘッド、浄水カートリッジ及び水栓装置を提供する。
【課題を解決するための手段】
【０００９】
一つの態様では、浄水機能付き吐水ヘッドは、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、前記規制部材を前記第１状態から前記第２状態へと移行させる規制解除部を有する浄水カートリッジと、カートリッジ装着部と、を有している。前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる。前記切替機構は、回転操作部と、前記回転操作部に連動して回転し、原水吐出状態では第１回転位置にあり、浄水吐出状態では第２回転位置にある被規制部材とを有している。前記第１状態にある前記規制部材は、前記被規制部材の前記第１回転位置から前記第２回転位置への回転を規制している。前記第２状態にある前記規制部材は、前記被規制部材の前記第１回転位置から前記第２回転位置への回転を許容している。前記被規制部材が、原水吐出状態と浄水吐出状態とを切り替えうる切替弁である。
【００１０】
他の態様では、浄水機能付き吐水ヘッドは、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、前記規制部材を前記第１状態から前記第２状態へと移行させる規制解除部を有する浄水カートリッジと、カートリッジ装着部と、を有している。前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる。前記切替機構は、回転操作部と、前記回転操作部に連動して回転し、原水吐出状態では第１回転位置にあり、浄水吐出状態では第２回転位置にある被規制部材とを有している。前記第１状態にある前記規制部材は、前記被規制部材の前記第１回転位置から前記第２回転位置への回転を規制している。前記第２状態にある前記規制部材は、前記被規制部材の前記第１回転位置から前記第２回転位置への回転を許容している。前記被規制部材の回転軸が、前後方向に沿った直線である。
【００１１】
他の態様では、浄水機能付き吐水ヘッドは、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、前記規制部材を前記第１状態から前記第２状態へと移行させる規制解除部と接続端部とを有する浄水カートリッジと、カートリッジ装着部と、を有している。前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる。前記切替機構が、回転操作部と、前記回転操作部に連動して回転し、原水吐出状態では第１回転位置にあり、浄水吐出状態では第２回転位置にある被規制部材とを有している。前記第１状態にある前記規制部材は、前記被規制部材の前記第１回転位置から前記第２回転位置への回転を規制している。前記第２状態にある前記規制部材は、前記被規制部材の前記第１回転位置から前記第２回転位置への回転を許容している。前記規制部材が、前記浄水カートリッジの前記接続端部を受け入れるカートリッジ受入部を有している。
【００１２】
他の態様では、浄水機能付き吐水ヘッドは、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、前記規制部材を前記第１状態から前記第２状態へと移行させる規制解除部を有する浄水カートリッジと、カートリッジ装着部と、を有している。前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる。前記切替機構が、回転操作部と、前記回転操作部に連動して回転し、原水吐出状態では第１回転位置にあり、浄水吐出状態では第２回転位置にある被規制部材とを有している。前記第１状態にある前記規制部材は、前記被規制部材の前記第１回転位置から前記第２回転位置への回転を規制している。前記第２状態にある前記規制部材は、前記被規制部材の前記第１回転位置から前記第２回転位置への回転を許容している。前記第１状態が、前記規制部材の並進移動における第１位置である。前記第２状態が、前記規制部材の並進移動における第２位置である。
【００１３】
他の態様は、前記浄水機能付き吐水ヘッドのいずれかを備えた水栓装置である。
【００１４】
他の態様は、前記いずれかの浄水機能付き吐水ヘッドにおける前記カートリッジ装着部に装着される浄水カートリッジであって、前記規制部材を前記第１状態から前記第２状態へと移行させる前記規制解除部を有している浄水カートリッジである。
【００１５】
他の態様は、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジである。この浄水カートリッジは、浄水機能部と、前記カートリッジ装着部に装着されることで、前記規制部材を前記第１状態から前記第２状態へと移行させる規制解除部と、前記規制部材に水密に接続される接続端部とを有する。
【００１６】
他の態様は、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジである。この浄水カートリッジは、浄水機能部と、前記浄水機能部の下流側に配置された接続端部と、前記カートリッジ装着部に装着されることで、前記規制部材を前記第１状態から前記第２状態へと移行させる規制解除部と、を有している。前記接続端部は、前記規制部材の内側に挿入される。
【００１７】
他の態様は、原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジである。この浄水カートリッジは、浄水機能部と、前記浄水機能部の下流側に配置された接続端部と、前記カートリッジ装着部に装着されることで、前記規制部材を前記第１状態から前記第２状態へと移行させる規制解除部と、を有している。この浄水カートリッジは、前記浄水カートリッジの中心線が前記規制部材の中心線と一致するように、前記カートリッジ装着部に配置される。
【発明の効果】
【００１８】
一つの側面では、吐水に対する誤認が防止される。
【図面の簡単な説明】
【００１９】
【図１】図１は、一実施形態に係る水栓装置の斜視図である。
【図２】図２（ａ）及び図２（ｂ）は、図１の水栓装置における吐水ヘッドの正面図である。図２（ａ）において回転操作部は原水吐出位置にあり、図２（ｂ）において回転操作部は浄水吐出位置にある。
【図３】図３（ａ）は図２のＡ−Ａ線に沿った断面図であり、図３（ｂ）は図２のＢ−Ｂ線に沿った断面図である。図３（ａ）は原水吐出状態の断面図であり、図３（ｂ）は浄水吐出状態の断面図である。
【図４】図４は、上記吐水ヘッドの分解斜視図である。
【図５】図５は、浄水カートリッジが装着されていない状態における上記吐水ヘッドの断面図である。
【図６】図６（ａ）及び図６（ｂ）は切替弁の斜視図であり、図６（ｃ）は切替弁の側面図であり、図６（ｄ）は切替弁の正面図であり、図６（ｅ）は切替パッキンの斜視図である。
【図７】図７（ａ）及び図７（ｂ）は規制部材の斜視図であり、図７（ｃ）は規制部材の側面図であり、図７（ｄ）は規制部材の正面図である。
【図８】図８は、切替弁と規制部材とを示す側面図である。図８では、規制部材が第１位置にあり、切替弁は第１回転位置にある。図８では、規制部材によって切替弁の回転が規制されている。
【図９】図９（ａ）及び図９（ｂ）は、切替弁と規制部材とを示す側面図である。図９（ａ）では、規制部材が第２位置にあり、切替弁は第１回転位置にある。図９（ｂ）では、規制部材は第２位置にあり、切替弁は第１回転位置から第２回転位置に向かう途中にある。図９（ａ）及び図９（ｂ）では、規制部材による切替弁の回転規制が解除されている。
【発明を実施するための形態】
【００２０】
以下、適宜図面が参照されつつ、本開示の実施形態が詳細に説明される。
【００２１】
なお、特に説明しない限り、本願における径方向とは、正規位置に取り付けられた浄水カートリッジＰＣ１の径方向を意味する。特に説明しない限り、本願における軸方向とは、正規位置に取り付けられた浄水カートリッジＰＣ１の軸方向を意味する。
【００２２】
特に説明しない限り、吐水ヘッドにおいて、先端側が前方又は前側とされ、根元側が後方又は後側とされる。換言すれば、回転操作部側が前方又は前側とされ、本体部側が後方又は後側とされる。特に説明しない限り、前後方向とは、前記前方と後方とを結ぶ方向である。前後方向は、前記軸方向を含む。前後方向は、前記軸方向に略平行な方向を含む。略平行な方向とは、前記軸方向からの相違角度が３０°以下、更には２０°以下、更には１０°以下の方向とされうる。
【００２３】
特に説明しない限り、本願における上流側とは、水の流れにおける上流の側、下流側とは水の流れにおける下流の側を意味する。
【００２４】
図１は、第１実施形態に係る水栓装置２の斜視図である。水栓装置２は、流し台（図示されず）に取り付けられる。なお、水栓装置２の設置場所として、流し台の他、洗面台及び浴室が例示される。
【００２５】
水栓装置２は、本体部４、レバーハンドル６及び吐水ヘッド８を有する。水栓装置２は、いわゆるシングルレバー式水栓である。レバーハンドル６の左右回動により吐水の温度が調節されうる。レバーハンドル６の上下回動により吐水量が調節されうる。本体部４の内部には、吐水の温度及び吐水量の調節を可能とする弁機構が内蔵されている。この弁機構は公知である。
【００２６】
図示は省略されているが、水栓装置２を有する水栓器具は、湯導入管及び水導入管を有する。湯導入管は、例えば、給湯器から延びる配管に接続される。水導入管は、例えば、給湯器を経ることなく、上水道の配管に接続される。
【００２７】
前記湯導入管には、加熱された湯が導入される。加熱は、給湯器によりなされる。前記水導入管には、加熱されていない水が導入される。前記弁機構により、湯と水との混合比率が調整される。この混合比率により、吐水の温度調節が達成される。なお以下では、加熱された湯、加熱されていない水及びこれらの混合液体が、単に「水」と称される場合がある。
【００２８】
吐水ヘッド８は、導水部１０、切替部１２、回転操作部１４、水形調整部１６及び吐出口１８を有する。導水部１０は、把持部としても機能する。
【００２９】
水形調整部１６は、吐出される水の形状（水形）を変化させうる。シャワー水形、ストレート水形及びそれらの中間的な水形が選択されうる。
【００３０】
吐水ヘッド８は、原水流路及び浄水流路を有する。原水流路が選択された場合、吐出口１８から原水が吐出される。原水が吐出される状態が、原水吐出状態とも称される。浄水流路が選択された場合、吐出口１８から浄水が吐出される。浄水が吐出される状態が、浄水吐出状態とも称される。
【００３１】
切替部１２は、回転操作部１４の操作によって原水吐出状態と浄水吐出状態とを切り換えうる切替機構を有している。この切替機構の詳細は、後述される。
【００３２】
図２（ａ）及び図２（ｂ）は、吐水ヘッド８の正面図である。図２（ａ）は、原水吐出状態における正面図である。原水吐出状態では、回転操作部１４の回転位置が原水吐出位置Ｓ１にある。図２（ｂ）は、浄水吐出状態における正面図である。回転操作部１４の回転軸は、前後方向に沿った直線である。回転操作部１４の回転軸は、軸方向に沿った直線である。回転操作部１４の回転軸は、浄水カートリッジＰＣ１の中心線と共通である。浄水吐出状態では、回転操作部１４の回転位置が浄水吐出位置Ｓ２にある。回転操作部１４をθ°回転することで、原水吐出状態と浄水吐出状態との間の切り替えが達成される。本実施形態では、角度θは９０°である。
【００３３】
図３（ａ）は、図２（ａ）のＡ−Ａ線に沿った断面図である。図３（ａ）は原水吐出状態における吐水ヘッド８の断面図である。図３（ｂ）は、図２（ｂ）のＢ−Ｂ線に沿った断面図である。図３（ｂ）は、浄水吐出状態における吐水ヘッド８の断面図である。図４は、吐水ヘッド８の分解斜視図である。なお、図３（ａ）及び図３（ｂ）では、水形調整部１６の内部機構の記載が省略されている。
【００３４】
図４が示すように、吐水ヘッド８は、外筒部２４と、ヘッドカバー２６とを有している。外筒部２４は、２層構造の円筒部材である。外筒部２４及びヘッドカバー２６は、回転操作部１４及び水形調整部１６と共に、吐水ヘッド８の外面を形成している。
【００３５】
吐水ヘッド８は、浄水カートリッジＰＣ１を有する。浄水カートリッジＰＣ１は、外筒部２４の内側に配置されている。前述した導水部（把持部）１０が、外筒部２４と浄水カートリッジＰＣ１とを有する。
【００３６】
浄水カートリッジＰＣ１の外側には原水流路ＷＧが形成されており、浄水カートリッジＰＣ１の内部には浄水流路ＷＪが形成されている（図３（ａ）及び図３（ｂ）参照）。原水吐出状態にあるとき、原水流路ＷＧを通過した原水が、切替機構内の原水流路ＷＧを経由して、吐出口１８から排出される。一方、浄水吐出状態にあるとき、原水は、浄水カートリッジＰＣ１の外側から内部に至る過程で、浄水カートリッジＰＣ１の浄水機能部を透過して濾過され、浄水となる。浄水は、浄水カートリッジＰＣ１の内部の浄水流路ＷＪ及び切替機構内の浄水流路ＷＪを経由して、吐出口１８から排出される。
【００３７】
図４が示すように、吐水ヘッド８は、回転操作部１４、操作部ガイド３０、切替カバー３２、切替コマ３４、第１ヘッド３６、カム部材４０、切替パッキン４２、切替弁４４、弾性体４６、規制部材５０、第２ヘッド５２、及び、水形切替アッシー５４を有する。
【００３８】
回転操作部１４は操作部ガイド３０に固定されている。回転操作部１４は操作部ガイド３０と共に回転する。切替カバー３２は第１ヘッド３６に固定されている。切替カバー３２は切替コマ３４を回転可能に支持している。切替コマ３４は操作部ガイド３０に固定されている。切替コマ３４は操作部ガイド３０と共に回転する。切替コマ３４は回転操作部１４と共に回転する。切替コマ３４の回転は、切替弁４４に伝達される。切替弁４４は切替コマ３４と共に回転する。切替弁４４は回転操作部１４と共に回転する。
【００３９】
第１ヘッド３６と第２ヘッド５２とは互いに連結され、規制部材５０に係る機構及び切替機構を収容している。弾性体４６は圧縮コイルバネである。弾性体４６は切替弁４４と規制部材５０との間に配置されている。弾性体４６は規制部材５０が切替弁４４から離れるように規制部材５０を付勢している。換言すれば弾性体４６は規制部材５０を後方に付勢している。水形切替アッシー５４は、水形調整部１６及び吐出口１８を有している。
【００４０】
図５は、浄水カートリッジＰＣ１が装着されていない吐水ヘッド８の断面図である。吐水ヘッド８は、カートリッジ装着部６０を有している。図５と図３（ａ）又は図３（ｂ）との対比から分かるように、カートリッジ装着部６０に浄水カートリッジＰＣ１が装着されているか否かによって、規制部材５０の位置が変化する。この規制部材５０の移動の詳細は、後述される。
【００４１】
図６（ａ）は切替弁４４の斜視図であり、図６（ｂ）は別の角度から見た切替弁４４の斜視図であり、図６（ｃ）は切替弁４４の側面図であり、図６（ｄ）は切替弁４４の正面図である。図６（ｅ）は、切替パッキン４２の斜視図である。
【００４２】
切替弁４４は、軸部７０と、中間部７２と、後方部７４とを有する。軸部７０は、中間部７２の前面から前方に突出している。軸部７０は、切替弁４４の中心線に沿って延びている。中間部７２は、軸部７０と後方部７４との間に位置している。中間部７２は円筒外面を形成している。後方部７４は、円筒外面を形成している。後方部７４の円筒外面の直径は、中間部７２の円筒外面の直径よりも大きい。
【００４３】
軸部７０は、先端部７０ａと根元部７０ｂとを有する。先端部７０ａの断面形状は非円形である。先端部７０ａの断面形状はＤ字型である。根元部７０ｂの断面形状は円形である。断面非円形の先端部７０ａは切替コマ３４に挿入されいる。切替コマ３４の回転は切替弁４４に伝達される。
【００４４】
中間部７２は、全体として円筒状である。中間部７２は、前面原水孔７２ａと、前面浄水孔７２ｂと、側面原水孔７２ｃとを有している。前面原水孔７２ａ及び前面浄水孔７２ｂは、中間部７２の前面に配置されている。側面原水孔７２ｃは、中間部７２の側面に設けられている。側面原水孔７２ｃからの水路は、前面原水孔７２ａに繋がっている。複数（２つ）の前面原水孔７２ａのそれぞれに対応する側面原水孔７２ｃが設けられている。側面原水孔７２ｃから前面原水孔７２ａに至る流路は、原水流路ＷＧの一部である。前面浄水孔７２ｂは、切替弁４４の内部の浄水流路ＷＪに繋がっている。中間部７２の側面には、前面浄水孔７２ｂに繋がる孔は設けられていない。
【００４５】
複数（２つ）の前面原水孔７２ａが設けられている。複数（２つ）の前面浄水孔７２ｂが設けられている。図６（ｄ）がよく示すように、前面原水孔７２ａと前面浄水孔７２ｂとは交互に配置されている。１つの前面原水孔７２ａの周方向角度θ１は、約９０°である。１つの前面浄水孔７２ｂの周方向角度θ２は、約９０°である。角度θ１は角度θ２に等しい。
【００４６】
後方部７４は、全体として円筒状である。後方部７４は、切替弁４４の後端部を構成している。後方部７４は、回転阻止部７４ａと回転許容部７４ｂとを有する。回転許容部７４ｂは、後方部７４の周方向に沿って設けられた長穴である。回転許容部７４ｂは、周方向の所定範囲に設けられている。回転許容部７４ｂは長穴に限られず、例えば溝であってもよい。回転阻止部７４ａは、回転許容部７４ｂの一端から後方に向かって延在する凹部である。後方部７４において、回転阻止部７４ａ及び回転許容部７４ｂは周方向の複数箇所（２箇所）に設けられている。
【００４７】
後方部７４は、規制部材５０の先端部を受け入れている（図３（ａ）、図３（ｂ）及び図５参照）。後方部７４は、規制部材受入部７６である。切替弁４４は、規制部材５０の先端部を受け入れる規制部材受入部７６を有している。規制部材受入部７６は円筒を形成している。
【００４８】
図６（ｅ）が示すように、切替パッキン４２は、通水孔４２ａと、通水遮断部４２ｂと、中央孔４２ｃとを有する。中央孔４２ｃには、切替弁４４の軸部７０が挿通される。複数（２つ）の通水孔４２ａが設けられている。複数（２つ）の通水遮断部４２ｂが設けられている。通水孔４２ａと通水遮断部４２ｂとが交互に配置されている。各通水孔４２ａは、前面原水孔７２ａ及び前面浄水孔７２ｂに対応した形状を有する。各通水遮断部４２ｂも、前面原水孔７２ａ及び前面浄水孔７２ｂに対応した形状を有する。なお、切替パッキン４２は、通水遮断部４２ｂを有さなくても良い。切替パッキン４２に代えて、切替パッキン４２が固定されている部材（本実施形態では、第１ヘッド３６）に通水遮断部が設けられうる。通水遮断部は、切替パッキン４２に設けられてもよいし、第１ヘッド３６に設けられてもよい。
【００４９】
図７（ａ）は規制部材５０の斜視図であり、図７（ｂ）は別の角度から見た規制部材５０の斜視図であり、図７（ｃ）は規制部材５０の側面図であり、図７（ｄ）は規制部材５０の正面図である。
【００５０】
規制部材５０は、カートリッジ受入部８０と、フランジ部８２と、回転規制係合部８４と、原水通過孔８６と、規制係合部８８と、シール配置部８９とを有する。
【００５１】
カートリッジ受入部８０は、規制部材５０の後端部を構成している。カートリッジ受入部８０は円筒である。カートリッジ受入部８０の中心線は浄水カートリッジＰＣ１の中心線と共通である。カートリッジ受入部８０の内側に浄水カートリッジＰＣ１の接続端部１０２が挿入される。カートリッジ受入部８０に浄水カートリッジＰＣ１が水密に接続される。
【００５２】
フランジ部８２は径方向外側に突出している。フランジ部８２は第２ヘッド５２の内面に当接している。フランジ部８２は、規制部材５０の軸方向における移動を案内するスライドガイドとして機能している。
【００５３】
フランジ部８２は、貫通孔８２ａを有する。貫通孔８２ａにより、原水の流れが確保されている。すなわち、貫通孔８２ａは、原水流路ＷＧを構成している。
【００５４】
回転規制係合部８４は、隣接部材と係合し、規制部材５０の回転を阻止している。本実施形態において、回転規制係合部８４は、フランジ部８２の一部が欠けることによって形成された凹部である。図７（ｄ）が示すように、回転規制係合部８４は、周方向における２箇所に設けられている。回転規制係合部８４のぞれぞれは、第２ヘッド５２の内面に設けられたスライドレール（図示されず）に係合している。回転規制係合部８４は、規制部材５０の移動を許容しつつ、規制部材５０の回転を防止している。
【００５５】
原水通過孔８６は、規制部材５０の外面の２箇所に設けられている。規制部材５０には、第１の原水通過孔８６から、第２の原水通過孔８６に至る原水通路ＷＧ１が形成されている。規制部材５０の内部は浄水流路ＷＪであるが、部分的に、浄水流路ＷＪから仕切られた原水流路ＷＧ（原水通路ＷＧ１）が形成されている。後述される浄水カートリッジＰＣ１の第１シール部材１０８は、規制部材５０の内部において、浄水流路ＷＪと原水流路ＷＧとを仕切っている。本実施形態では、原水通路ＷＧ１は、径方向に沿って延びている。原水通路ＷＧ１は、規制部材５０を横断している。原水通路ＷＧ１は、原水流路ＷＧの迂回路であり、原水流路ＷＧの一部である。
【００５６】
規制係合部８８は、規制部材５０の外面に設けられている。規制係合部８８は、規制部材５０の外面に形成された円周面９６に設けられている。円周面９６の中心線は、浄水カートリッジＰＣ１の中心線と共通である。規制係合部８８は、凸部である。規制係合部８８は、径方向外側に突出している。規制係合部８８は、周方向における複数箇所（２箇所）に設けられている（図７（ｃ）及び図７（ｄ）参照）。規制係合部８８は、切替弁４４の回転阻止部７４ａと係合しうる。なお、切替弁４４の後方部７４は、規制係合部８８を回転阻止部７４ａの内側に導きうる導入部７４ｃを有する（図６（ｂ）参照）。導入部７４ｃは、軸方向に沿って延びる溝である。回転許容部７４ｂの周方向における一端部に回転阻止部７４ａが形成され、回転許容部７４ｂの周方向における他端部に導入部７４ｃが形成されている。
【００５７】
シール配置部８９は、周溝である。図７（ａ）〜（ｄ）には記載されていないが、シール配置部８９には、シール部材９４が配置されている（図５参照）。このシール部材９４は、Ｏリングである。シール部材９４は、切替弁４４の内周面に密着している。規制部材５０は、切替弁４４に、水密に接続されている。シール部材９４として、Ｏリングの他、リップパッキンが例示される。好ましいリップパッキンとして、Ｙパッキン及びＸパッキンが挙げられる。
【００５８】
図４が示すように、浄水カートリッジＰＣ１は、浄水機能部１００と、接続端部１０２とを有する。接続端部１０２は、浄水カートリッジＰＣ１の前端部を構成している。接続端部１０２は、浄水機能部１００の下流側に配置されている。前述の通り、浄水機能部１００を透過することで、原水が浄水となる。接続端部１０２の少なくとも一部は、規制部材５０に挿入される。接続端部１０２は、規制部材５０に接続される。
【００５９】
図４の拡大部が示すように、接続端部１０２は、第１シール保持部１０４と、第２シール保持部１０６とを有する。第１シール保持部１０４は、浄水カートリッジＰＣ１の先端部を構成している。第１シール保持部１０４には、第１シール部材１０８が装着されている。第２シール保持部１０６には、第２シール部材１１０が装着されている。第１シール部材１０８は、Ｏリングである。第２シール部材１１０は、Ｏリングである。第１シール部材１０８の外径は、第２シール部材１１０の外径よりも小さい。後述の通り、第１シール部材１０８は、規制部材５０の内部において原水通路ＷＧ１を浄水流路ＷＪから仕切る役割を果たす。第２シール部材１１０は、規制部材５０の内面に密着する。第２シール部材１１０により、浄水カートリッジＰＣ１は規制部材５０に水密に接続している。
【００６０】
第１シール保持部１０４は、前端面１１２を有する。前端面１１２は、浄水カートリッジＰＣ１の先端面でもある。第２シール保持部１０６は、前端面１１４を有する。前端面１１４は、前向き面である。前端面１１４は、円環面である。前端面１１４は、軸方向に対して垂直な平面である。前端面１１４は、浄水カートリッジＰＣ１を正面（軸方向前方）から見たときに視認される面である。
【００６１】
接続端部１０２は、前向き面１１６を有する。前向き面１１６は、第２シール保持部１０６の後方に位置する。前向き面１１６は、円環面である。前向き面１１６は、軸方向に対して垂直な平面である。前向き面１１６は、浄水カートリッジＰＣ１を正面（軸方向前方）から見たときに視認される面である。前向き面１１６の外径は、前端面１１４の外径よりも大きい。
【００６２】
接続端部１０２は、浄水出口孔１２０を有する。浄水機能部１００の内部を通った浄水は、浄水出口孔１２０から浄水カートリッジＰＣ１の外側に流れる。第１シール保持部１０４は、第２シール保持部１０６から離れている。第１シール保持部１０４と第２シール保持部１０６との間に、浄水出口孔１２０が形成されている。第１シール保持部１０４と第２シール保持部１０６とは、連結部１２２で連結されている。複数（４つ）の連結部１２２が、周方向に等間隔で配置されている。互いに隣り合う連結部１２２同士の間に、浄水出口孔１２０が形成されている。連結部１２２は、前端面１１４と、第１シール保持部１０４の後端面とを繋いでいる。各連結部１２２は、前方にいくほど浄水カートリッジＰＣ１の中心線に近づくように傾斜している。
【００６３】
図５が示すように、規制部材５０は、先端受入部１３０を有する。図３（ａ）及び図３（ｂ）が示すように、先端受入部１３０に、浄水カートリッジＰＣ１の第１シール保持部１０４が挿入される。前述した原水通路ＷＧ１は、この先端受入部１３０の内部を通過している。第１シール保持部１０４の第１シール部材１０８は、この原水通路ＷＧ１と、規制部材５０の内部の浄水流路ＷＪとを仕切っている。第１シール保持部１０４の前端面１１２は、原水通路ＷＧ１（原水流路ＷＧ）に面している。
【００６４】
以下、原水吐出状態と浄水吐出状態とを切り替える切替機構について説明する。
【００６５】
前述の通り、切替弁４４は、回転操作部１４と共に回転する。本願では、原水吐出状態における切替弁４４の回転位置が、第１回転位置とも称される。本願では、浄水吐出状態における切替弁４４の回転位置が、第２回転位置とも称される。回転操作部１４が原水吐出位置Ｓ１にあるとき（図２（ａ））、切替弁４４は第１回転位置Ｒ１にある（図３（ａ））。回転操作部１４が浄水吐出位置Ｓ２にあるとき（図２（ｂ））、切替弁４４は第２回転位置Ｒ２にある（図３（ｂ））。
【００６６】
切替パッキン４２と切替弁４４とによって、原水と浄水との切替がなされる。切替パッキン４２は、第１ヘッド３６に固定されている。切替弁４４の回転位置に関わらず、切替パッキン４２は回転しない。切替弁４４が第１回転位置Ｒ１及び第２回転位置Ｒ２にあるとき、切替パッキン４２は、切替弁４４における中間部７２の前面に当接している。切替弁４４が第１回転位置Ｒ１にあるとき、前面原水孔７２ａは通水孔４２ａに重なり、前面浄水孔７２ｂは通水遮断部４２ｂに重なる。すなわち、前面原水孔７２ａは通水状態であるのに対して、前面浄水孔７２ｂは塞がれる。このため、原水は流れ、浄水は遮断される。切替弁４４が第２回転位置Ｒ２にあるとき、前面原水孔７２ａは通水遮断部４２ｂに重なり、前面浄水孔７２ｂは通水孔４２ａに重なる。すなわち、前面原水孔７２ａが塞がれるのに対して、前面浄水孔７２ｂは通水状態となる。このため、原水は遮断され、浄水は流れる。このように、切替弁４４は、回転によって原水吐出と浄水吐出とを切り替える回転切替弁である。
【００６７】
なお、本実施形態では、切替弁４４が第１回転位置Ｒ１と第２回転位置Ｒ２との間の回転位置にあるとき、切替弁４４が切替パッキン４２から離れる。この離間は、カム部材４０に起因するカム機構によって達成されている。図４が示すように、カム部材４０は、軸挿入孔４０ａと、カム係合部４０ｂとを有する。非円形断面を有する切替弁４４の先端部７０ａは、切替コマ３４に加えて、カム部材４０の軸挿入孔４０ａに挿入されている。このため、カム部材４０は、切替弁４４と共に回転する。カム係合部４０ｂは、切替カバー３２に設けられたカム摺動面３２ａ（図４参照）に係合している。カム摺動面３２ａに形成された凹凸に起因して、カム部材４０の回転運動は軸方向の移動に変換される。切替弁４４が第１回転位置Ｒ１と第２回転位置Ｒ２との間の回転位置にあるとき、カム部材４０は後方に移動し、このカム部材４０に連動して、切替弁４４も後方に移動する。このため切替弁４４が切替パッキン４２から離れる。切替弁４４が第１回転位置Ｒ１及び第２回転位置Ｒ２にあるときは、カム部材４０は前方位置に戻り、切替パッキン４２は切替弁４４に密着する。このカム機構により、回転操作部１４の操作力が低減し、軽快な切替操作が実現される。また、湯水切替操作における切替パッキン４２の摩耗が抑制される。
【００６８】
本実施形態は、前記カム機構に基づく、切替弁４４の後方への移動を許容しうるように構成されている。図３（ａ）及び図３（ｂ）に示される通水状態では、規制部材５０は、切替弁４４の後方面に当接している。後方面とは、後方を向いた面であり、例えば、規制部材５０の前端面９８に当接する段差面７８である（図５参照）。後方から規制部材５０が当接にすると、切替弁４４の後方への移動は許容されず、前記カム機構が作動できない。そこで、前記カム機構を機能させるべく、非通水状態では、規制部材５０は、前記カム機構に基づく切替弁４４の後方への移動を許容しうる位置にある。浄水カートリッジＰＣ１を装着しただけで通水されていない状態では、規制部材５０は切替弁４４に後方から当接していない。よって、非通水状態では、前記カム機構が作動する。通水時には、浄水カートリッジＰＣ１が水圧を受け、浄水カートリッジＰＣ１及び規制部材５０が（若干）前方に移動する。この移動により、規制部材５０は切替弁４４に後方から当接する。なお、通水しているか否かに関わらず、浄水カートリッジＰＣ１が装着されれば、回転阻止部７４ａに対する規制係合部８８の係合が解除される。通水されるか否かによって規制部材５０は若干移動するが、この移動範囲の全てが第２位置Ｐ２（第２状態）である。
【００６９】
以上の構成を有する吐水ヘッド８では、浄水カートリッジＰＣ１がカートリッジ装着部６０に装着されていないとき、切替弁４４を第１回転位置Ｒ１から第２回転位置Ｒ２に回転することが規制される。すなわち、浄水カートリッジＰＣ１がカートリッジ装着部６０に装着されていないとき、回転操作部１４を原水吐出位置Ｓ１から浄水吐出位置Ｓ２に回転することが規制される。
【００７０】
図３（ａ）又は図３（ｂ）と図５との対比から理解されるように、浄水カートリッジＰＣ１が装着されているか否かによって、規制部材５０の軸方向位置が相違する。図５が示すように、浄水カートリッジＰＣ１が装着されていないとき、規制部材５０は第１位置Ｐ１にある。図３（ａ）及び図３（ｂ）が示すように、浄水カートリッジＰＣ１が装着されているとき、規制部材５０は第２位置Ｐ２にある。第２位置Ｐ２は、第１位置Ｐ１よりも前方である。規制部材５０は、浄水カートリッジＰＣ１に押圧されて、第１位置Ｐ１から第２位置Ｐ２に移動する。本実施形態では、浄水カートリッジＰＣ１の前向き面１１６（図４参照）が、規制部材５０の後端面９０を押圧している。本実施形態では、前向き面１１６が、規制解除部１１８である。規制解除部１１８は前向き面１１６に限られず、例えば前端面１１４であってもよい。本実施形態では、後端面９０が、規制解除当接部９２である。規制解除当接部９２は後端面９０に限られず、例えば規制部材５０の内面に形成された後向き面であってもよい。
【００７１】
前述の通り、弾性体４６は規制部材５０を後方に付勢している。浄水カートリッジＰＣ１が装着されていない状態では、規制部材５０の位置は第１位置Ｐ１となる。浄水カートリッジＰＣ１がカートリッジ装着部６０に装着されると、規制部材５０は弾性体４６の付勢力に抗して浄水カートリッジＰＣ１によって押圧され、第２位置Ｐ２に移動する。規制部材５０の移動の方向は、前後方向である。規制部材５０の移動の方向は、軸方向である。規制部材５０は、回転することなく移動する。規制部材５０の移動は、並進移動である。
【００７２】
図８が示すように、規制部材５０が第１位置Ｐ１にあり且つ切替弁４４が第１回転位置Ｒ１にあるとき、規制部材５０の回転阻止部７４ａに規制係合部８８が係合している。この係合により、切替弁４４が第１回転位置Ｒ１から第２回転位置Ｒ２に移行することが規制されている。すなわち、回転操作部１４が原水吐出位置Ｓ１から浄水吐出位置Ｓ２に移行することが規制されている。この状態では、回転操作部１４を回転して浄水吐出位置Ｓ２にすることができない。
【００７３】
図９（ａ）が示すように、規制部材５０が第２位置Ｐ２にあり且つ切替弁４４が第１回転位置Ｒ１にあるとき、規制係合部８８は回転阻止部７４ａに係合していない。規制部材５０が第２位置Ｐ２に並進移動することで、回転阻止部７４ａに対する規制係合部８８の係合が解除される。この解除により、切替弁４４を第１回転位置Ｒ１から第２回転位置Ｒ２に移行させることが可能となる（図９（ｂ）参照）。図９（ｂ）は、切替弁４４が第１回転位置Ｒ１から第２回転位置Ｒ２に移行する途中の状態を示している。この移行において、規制係合部８８は、回転許容部７４ｂ内を移動する。回転許容部７４ｂは、切替弁４４の第１回転位置Ｒ１と第２回転位置Ｒ２との相互移行の過程において規制係合部８８に干渉しないように延在している。
【００７４】
以上に説明されたように、吐水ヘッド８は、第１状態と第２状態との相互移行が可能であり、第１状態では切替機構による原水から浄水への切替を規制し、且つ、第２状態では切替機構による原水から浄水への切替を許容する規制部材５０を有している。上記実施形態では、前記第１状態が第１位置Ｐ１であり、前記第２状態が第２位置Ｐ２である。また、浄水カートリッジＰＣ１は、規制部材５０を第１位置Ｐ１から第２位置Ｐ２へと移行させる規制解除部を有している。上記実施形態では、この規制解除部は、浄水カートリッジＰＣ１の接続端部１０２である。より詳細には、この規制解除部は、接続端部１０２の前向き面１１６である。浄水カートリッジＰＣ１がカートリッジ装着部６０に装着されていないときには規制部材５０が第１状態（第１位置Ｐ１）となり、浄水カートリッジＰＣ１がカートリッジ装着部６０に装着されているときには接続端部１０２（規制解除部）に起因して規制部材５０が第２状態（第２位置Ｐ２）となる。したがって、浄水カートリッジＰＣ１の入れ忘れ等により、回転操作部１４が浄水吐出位置Ｓ２にあるにも関わらず原水が吐出されるという事態が防止される。規制解除部は、接続端部１０２以外に設けられてもよい。
【００７５】
原水吐出状態と浄水吐出状態とを切り替える切替機構は、回転操作部１４と、回転操作部１４に連動して回転し、原水吐出状態では第１回転位置Ｒ１にあり、浄水吐出状態では第２回転位置Ｒ２にある被規制部材とを有している。上記実施形態では、被規制部材が切替弁４４である。被規制部材は、切替弁４４に限られず、回転操作部１４に連動して回転するものであればよい。第１状態（第１位置Ｐ１）にある規制部材５０は、被規制部材（切替弁４４）の第１回転位置Ｒ１から第２回転位置Ｒ２への回転を規制している。第２状態（第２位置Ｐ２）にある規制部材５０は、被規制部材（切替弁４４）の第１回転位置Ｒ１から第２回転位置Ｒ２への回転を許容している。
【００７６】
上記実施形態では、前記被規制部材が、原水吐出状態と浄水吐出状態とを切り替えうる切替弁４４である。切替弁４４が被規制部材を兼ねているため、部品点数が減少し、組立作業が軽減される。また、切替弁４４が回転切替弁であるため、回転操作部１４の回転をそのまま切替弁４４に伝達することができ、切替機構の構造が簡素化される。この結果、切替機構を小型化することができ、吐水ヘッド８のデザインの自由度が向上する。また、構造がシンプルであるため、切替機構の動作の確実性が高められている。
【００７７】
なお、切替弁でない被規制部材として、例えば、切替弁４４の後方部７４と同様の形態を有し、回転操作部１４と共に回転する部材が挙げられる。切替弁を構成せず、単に回転操作部１４と共に回転する部材も、本願における切替機構に含まれる。
【００７８】
上記実施形態では、被規制部材（切替弁４４）の回転軸が、前後方向に沿った直線である。被規制部材（切替弁４４）の回転軸は、軸方向に沿った直線である。このため、吐水ヘッド８の前端部に回転操作部１４が設けられた構成を容易に実現することができる。この構成は、切替操作の操作性が高く、デザイン性に優れた吐水ヘッド８を実現しうる。図１が示すように、本実施形態では、回転操作部１４の側面が、切替部１２の外面と円筒面を形成している。更に、切替部１２の外面は導水部１０の外面と同じ円筒面を形成している。吐水ヘッド８では、小型で細く且つシンプルな外観が実現されており、デザイン性が高い。
【００７９】
規制部材５０は、浄水カートリッジＰＣ１の接続端部１０２を受け入れるカートリッジ受入部８０を有している（図７（ｂ）参照）。カートリッジ受入部８０を設けることで、浄水カートリッジＰＣ１が安定的に規制部材５０に当接し、浄水カートリッジＰＣ１による規制部材５０の押圧が確実に達成される。このため、規制部材５０が第１位置Ｐ１から第２位置Ｐ２に確実に移動する。カートリッジ受入部８０を有する規制部材５０は、回転規制機構の動作安定性を高める。
【００８０】
上記実施形態では、被規制部材（切替弁４４）が、規制部材５０の先端部を受け入れる規制部材受入部７６を有している（図６（ｂ）参照）。規制部材５０の先端部が規制部材受入部７６に挿入されることで、切替弁４４と規制部材５０との位置関係が安定する。この結果、回転阻止部７４ａ及び回転許容部７４ｂと規制係合部８８との位置ズレが防止され、回転規制機構の精度が高まる。規制部材受入部７６を有する切替弁４４は、回転規制機構の動作安定性を高める。
【００８１】
図３（ａ）及び図３（ｂ）に示される通り、切替弁４４及び規制部材５０は、その外側が原水流路ＷＧであり且つその内側が浄水流路ＷＪである部分を有する。浄水カートリッジＰＣ１の接続端部１０２は規制部材５０に水密に接続しており、規制部材５０は切替弁４４に水密に接続している。これらの接続により、浄水出口孔１２０から出た浄水は、規制部材５０の内側及び切替弁４４の内側を通り、切替弁４４の前面浄水孔７２ｂから排出される。原水は、浄水カートリッジＰＣ１の外側から規制部材５０の外側を経由して切替弁４４の外側を流れ、側面原水孔７２ｃを経由して前面原水孔７２ａから排出される。このように、切替弁４４（被規制部材）と、規制部材５０とは、浄水流路ＷＪを原水流路ＷＧとを仕切る流路形成部を構成している。切替弁４４及び規制部材５０が、流路を仕切る部分を兼ねているため、吐水ヘッド８の小型化が可能となる。
【００８２】
前述の通り、上記実施形態では、前記第１状態が、規制部材５０の並進移動における第１位置Ｐ１であり、前記第２状態が、規制部材５０の並進移動における第２位置Ｐ２である。第１状態と第２状態との相互移行が、回転を伴わない並進移動であるため、当該移行が安定的且つ確実になされうる。
【００８３】
図８、図９（ａ）及び図９（ｂ）で示される通り、規制部材５０は、第１位置Ｐ１では切替弁４４（被規制部材）と係合して切替弁４４の回転を阻止し、第２位置Ｐ２では切替弁４４（被規制部材）と係合せず切替弁４４の回転を許容する規制係合部８８を有している。また、切替弁４４（被規制部材）は、規制部材５０が第１位置Ｐ１にあるとき規制係合部８８と係合する回転阻止部７４ａと、規制部材５０が第２位置Ｐ２にあるとき規制係合部８８との係合を回避する回転許容部７４ｂとを有している。規制部材５０が第２位置Ｐ２にあるとき、回転許容部７４ｂは、規制部材５０における第１回転位置Ｒ１と第２回転位置Ｒ２との相互移行の全行程において、規制係合部８８と係合しない。この構成では、規制部材５０の並進移動を利用した、切替弁４４の回転規制及びその解除が、簡素な構造で実現されうる。
【００８４】
上記実施形態では、規制部材５０と切替弁４４（被規制部材）との間に弾性体４６が配置されている。この弾性体４６が、規制部材５０を第１位置Ｐ１側に付勢している。この構成では、浄水カートリッジＰＣ１が装着されていないときに、規制部材５０を確実に第１位置Ｐ１に戻すことができる。このため、切替弁４４の回転阻止が確実に達成されうる。
【００８５】
図３（ａ）及び図３（ｂ）に示される通り、規制部材５０は、浄水カートリッジＰＣ１の規制解除部１１８に当接する規制解除当接部９２を有している。図４の拡大部が示すように、規制解除部１１８は、浄水カートリッジＰＣ１の中心線と同軸の円環面である。加えて、図７（ｂ）が示すように、規制解除当接部９２は、浄水カートリッジＰＣ１の中心線と同軸の円環面である。従って、浄水カートリッジＰＣ１の回転位置（位相）に関わらず、浄水カートリッジＰＣ１と規制部材５０との当接が安定的且つ確実に達成される。これらの構造は、回転規制機構の動作安定性を高める。
【００８６】
上記実施形態では、回転操作部１４の回転軸、切替弁４４（被規制部材）の回転軸、規制部材５０の中心線、及び、浄水カートリッジＰＣ１の中心線が同一である。この構成では、回転操作部１４の回転を切替弁４４に伝達する回転伝達機構と、浄水カートリッジＰＣ１により規制部材５０を並進移動させる並進移動機構とを、一直線上に配置することができる。このため、吐水ヘッド８の小型化が達成され、吐水ヘッド８を細くしてデザイン性を高めることができる。
【００８７】
特許第６３５６９４０号公報の第３実施形態では、規制部材が浄水流路内に設けられている。この規制部材は、圧力損失を生じさせうる。圧力損失が生じれば、浄水の流量が低下する。一方、上記実施形態では、規制部材５０の内側に浄水流路が形成されており、規制部材５０が浄水流路ＷＪと原水流路ＷＧとを仕切る役割を果たしている。このため、浄水流路の規制部材を設けることによる前記圧力損失が防止される。
【００８８】
特許第６３５６９４０号公報の第３実施形態では、規制部材が浄水流路内に設けられている。このため、浄水流路に当該規制部材の設置スペースを確保する必要がある。一方、上記実施形態では、浄水流路に規制部材の設置スペースを設ける必要がなく、吐水ヘッドの更なる小型化が可能となる。
【００８９】
特許第６３５６９４０号公報の第３実施形態では、規制部材が浄水流路内に設けられている。このため、規制部材の大きさに限界がある。一方、上記実施形態では、規制部材５０を大きくすることができ、規制部材５０の強度が高められうる。
【００９０】
特許第６３５６９４０号公報の第３実施形態では、カム機構により被規制部材が軸方向に移動し、規制部材がこの移動を阻止する。この場合、カム機構が介在しているため、移動規制が達成されるように規制部材の位置及び寸法を制御するのが難しい。一方、上記実施形態では、カム機構が介在しておらず、被規制部材の回転を規制部材が直接規制する構造であるため、規制部材の位置及び寸法を制御するのが容易である。結果として、規制機構の動作安定性が高まり、誤作動が抑制されうる。また、カム機構が不要とされることで、吐水ヘッドの小型化が可能となる。
【００９１】
上記実施形態では、通水により浄水カートリッジＰＣ１が前方に受圧し、この受圧力が、切替弁４４を介して、切替パッキン４２を押圧している。すなわち、浄水カートリッジＰＣ１の押圧力が、切替パッキン４２と切替弁４４の前面との間に作用するシール圧を高めている。このシール圧は、弾性体４６によっても付与されているが、これに加えて、浄水カートリッジＰＣ１も当該シール圧を付与している。よって、切替パッキン４２と切替弁４４との間のシール性が高められている。高いシール圧により、浄水吐出状態において原水が漏れて浄水性能が低下することが抑制され、原水吐出状態において浄水が漏れてカートリッジ寿命が短縮されることも抑制される。なお、前述の通り、非通水状態では、浄水カートリッジＰＣ１が装着されていても、規制部材５０は切替弁４４に後方から当接していない。この状態では、規制部材５０は浄水カートリッジＰＣ１に押圧されて弾性体４６を圧縮させ、この圧縮力が切替弁４４を介して切替パッキン４２を押圧している。
【００９２】
特許第６３５６９４０号公報の第３実施形態では、切替弁のシール性を確保する付勢部材とは別に、規制部材を第１状態とする付勢部材が必要である。一方、上記実施形態では、シール性確保のための付勢部材（弾性体４６）が、規制部材５０を第１状態（第１位置Ｐ１）とする付勢部材も兼ねている。このため、付勢部材が削減されうる。また、切替弁４４と規制部材５０との間に配置される弾性体４６は大型化が可能であり、弾性体４６と規制部材５０との当接面積を大きくすることもできる。この結果、規制部材５０が第１位置Ｐ１に戻る動作の確実性が高まる。更に、この弾性体４６の中心線は、浄水カートリッジＰＣ１の中心線と共通である。このため、弾性体４６は、浄水カートリッジＰＣ１による押圧力を安定的に受け止めることができる。このような構成の弾性体４６は、回転規制機構の動作安定性を高める。
【００９３】
操作部ガイド３０の材質として、樹脂又は金属が挙げられる。コストの観点から、材質が金属の場合、操作部ガイド３０の製法は焼結、鋳造又は鍛造が好ましい。材質が樹脂の場合、成形が容易な熱可塑性樹脂が好ましい。成形性の観点から、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）がより好ましい。成形性及びコストの観点から、アクリロニトリルブタジエンスチレン共重合体（ＡＢＳ）及びポリプロピレン（ＰＰ）が特に好ましい。
【００９４】
切替カバー３２の材質として、樹脂又は金属が挙げられる。コストの観点から、材質が金属の場合、切替カバー３２の製法は焼結、鋳造又は鍛造が好ましい。材質が樹脂の場合、成形が容易な熱可塑性樹脂が好ましい。成形性の観点から、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）がより好ましい。強度の観点から、ポリオキシメチレン（ＰＯＭ）及びポリフェニレンサルファイド（ＰＰＳ）が特に好ましい。また、強度の観点から、上記樹脂に、ガラス繊維や炭素繊維等の強化繊維を含有させることも好ましい。
【００９５】
切替コマ３４の材質として、樹脂又は金属が挙げられる。コストの観点から、材質が金属の場合、切替コマ３４の製法は焼結、鋳造又は鍛造が好ましい。材質が樹脂の場合、成形が容易な熱可塑性樹脂が好ましい。成形性の観点から、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）がより好ましい。強度の観点から、ポリオキシメチレン（ＰＯＭ）及びポリフェニレンサルファイド（ＰＰＳ）が特に好ましい。また、強度の観点から、上記樹脂に、ガラス繊維や炭素繊維等の強化繊維を含有させることも好ましい。
【００９６】
切替弁４４の材質として、樹脂又は金属が挙げられる。コストの観点から、材質が金属の場合、切替弁４４の製法は焼結、鋳造又は鍛造が好ましい。材質が樹脂の場合、成形が容易な熱可塑性樹脂が好ましい。成形性の観点から、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）がより好ましい。強度の観点から、ポリオキシメチレン（ＰＯＭ）及びポリフェニレンサルファイド（ＰＰＳ）が特に好ましい。また、強度の観点から、上記樹脂に、ガラス繊維や炭素繊維等の強化繊維を含有させることも好ましい。
【００９７】
規制部材５０の材質として、樹脂又は金属が挙げられる。コストの観点から、材質が金属の場合、規制部材５０の製法は焼結、鋳造又は鍛造が好ましい。材質が樹脂の場合、成形が容易な熱可塑性樹脂が好ましい。成形性の観点から、ポリオキシメチレン（ＰＯＭ）、ポリフェニレンサルファイド（ＰＰＳ）、アクリロニトリルブタジエンスチレン共重合体（ＡＢＳ）及びポリプロピレン（ＰＰ）がより好ましい。強度の観点から、ポリオキシメチレン（ＰＯＭ）及びポリフェニレンサルファイド（ＰＰＳ）が特に好ましい。また、強度の観点から、上記樹脂に、ガラス繊維や炭素繊維等の強化繊維を含有させることも好ましい。
【００９８】
浄水カートリッジＰＣ１は所定の使用期間ごとに交換されるのに対して、規制部材５０は交換されない。長期間繰り返し使用される規制部材は、高い剛性及び高い耐摩耗性を有するのが好ましい。この観点から、規制部材の材質の縦弾性係数は、０．１ＧＰａ以上が好ましく、１．０ＧＰａ以上がより好ましく、３．０ＧＰａ以上が更に好ましい。上述の好ましい材質を考慮すると、規制部材の材質の縦弾性係数は、１７ＧＰａ以下が好ましく、１６ＧＰａ以下がより好ましく、１５ＧＰａ以下が更に好ましい。規制部材の材質の縦弾性係数は、浄水カートリッジの規制解除部の材質の縦弾性係数よりも大きいのが好ましい。上記縦弾性係数は、引張応力に対するひずみ量の関係から求められるもので、弾性範囲におけるひずみ量と応力の比例定数であり、ヤング率とも呼称される。一般的な材質の縦弾性係数は、多くの文献に記載されており、よく知られている。文献値が不明確である場合、縦弾性係数は、ＡＳＴＭ  Ｄ６３８に準拠して測定されうる。この測定では、測定対象となる部材と同じ材質からなる試験片が用いられうる。
【００９９】
上記実施形態では、浄水機能部１００が浄水カートリッジＰＣ１の外周面から内部へと水を透過させうる態様であるが、浄水機能部１００はこの態様に限られない。例えば、浄水カートリッジＰＣ１の外周面は非通水性の外周壁で形成され、この外周壁の内側に透過部が設けられてもよい。この場合、水は浄水カートリッジＰＣ１の上流側の端（後端）から浄水カートリッジＰＣ１に流れ込み、当該透過部を透過して接続端部１０２に到達しうる。この構成では、浄水カートリッジＰＣ１の後端部に貫通孔等が設けられ、浄水カートリッジＰＣ１の後端からの水の流入が許容される。
【０１００】
上記実施形態では、浄水機能部１００が透過部とされ、この透過部に原水を透過させることで浄水が生成される。上述の通り、この透過部は浄水機能部の一例にすぎない。浄水は、透過部を透過せずに生成されてもよい。例えば、浄水カートリッジが金属材を有し、この金属材から、除菌、抗菌、殺菌又は菌増殖抑制の効果を有する金属イオンが放出されることでも、浄水が生成されうる。
【０１０１】
本願において浄水とは、以下の（１）及び（２）の生成水を含む概念である。
（１）水中の物質又はイオンなどが吸着材又はろ過膜などで取り除かれた生成水。
（２）除菌などの機能を水に与える為に金属イオンを水に含ませるなど、水に金属イオン、電子、物質などを含ませて水に有益な機能を付与させた生成水。
【０１０２】
具体的には、本願における浄水は、以下の機能Ａ及び／又は機能Ｂにより生成される水を含む概念である。換言すれば、本願における浄水機能部は、以下の機能Ａ及び／又は機能Ｂを有する機能部を含む概念である。
【０１０３】
[機能Ａ]
機能Ａとは、以下のＡ１、Ａ２、Ａ３、Ａ４及びＡ５からなる群から選択される１以上の機能である。
Ａ１：活性炭などの吸着材を使用して、水中の物質を吸着して取り除く機能。
Ａ２：ろ材を用いて水中の物質をろ過する機能。好ましくは、このろ材が逆浸透膜、限外ろ過膜、精密ろ過膜、ナノろ過膜、多孔質中空繊維膜などのろ過膜とされ、このろ過膜を使用して水中の物質をろ過する機能。
Ａ３：イオン交換樹脂などを使用して、水中の金属イオンなどを取り込んで除去する機能。
Ａ４：金属材から除菌、抗菌、殺菌、及び／又は、菌の増殖を抑止する効果を有する金属イオンを放出する機能。
Ａ５：金属材から金属イオンを放出させると共に、この金属イオンの放出に伴って発生する電子を水中の酸素に取り込ませることによって活性酸素を生成させる機能。
【０１０４】
浄化の対象とする水中の物質として、塩素、揮発性有機化合物、農薬物質、かび臭物質、重金属などが例示される。塩素、揮発性有機化合物、農薬物質、かび臭物質及び重金属からなる群から選択される１以上が除去されるのが好ましい。
【０１０５】
前記揮発性有機化合物として、クロロホルム、ブロモジクロロメタン、ジブロモクロロメタン、ブロロホルム、テトラクロロエチレン、トリクロロエチレン、１，１，１−トリクロロエタン、総トリハロメタンなどが例示される。クロロホルム、ブロモジクロロメタン、ジブロモクロロメタン、ブロロホルム、テトラクロロエチレン、トリクロロエチレン、１，１，１−トリクロロエタン、総トリハロメタンからなる群から選択される１以上が除去されるのが好ましい。
【０１０６】
前記農薬物質として、２−クロロ−４，６−ビスチルアミノ−１，３，５−トリアジンなどが例示される。２−クロロ−４，６−ビスチルアミノ−１，３，５−トリアジンが除去されるのが好ましい。
【０１０７】
前記かび臭物質として、２−メチルイソボルネオール、ジェオスミン、フェノール類などが例示される。２−メチルイソボルネオール、ジェオスミン及びフェノール類からなる群から選択される１以上が除去されるのが好ましい。
【０１０８】
前記重金属として、鉛、水銀、銅、ヒ素及びカドニウムなどが例示される。鉛、水銀、銅、ヒ素及びカドニウムからなる群から選択される１以上が除去されるのが好ましい。
【０１０９】
前記機能Ａ４における金属イオンとして、亜鉛イオン及び銀イオンが例示される。亜鉛イオン及び銀イオンからなる群から選択される１以上が放出されるのが好ましい。
【０１１０】
前記機能Ａ４における菌としては、大腸菌及びブドウ球菌などが挙げられ、一般細菌と定義（包括）される雑菌類も含まれる。それらの菌のうちの１以上が除菌、抗菌、殺菌、又は増殖が抑止されるのが好ましい。
【０１１１】
前記機能Ａ５における活性酸素は、菌などの有機物を分解しうる。この菌として、大腸菌及びブドウ球菌などが挙げられ、一般細菌と定義（包括）される雑菌類も含まれる。それらの菌のうちの１以上が分解されるのが好ましい。
【０１１２】
なお、塩素や有害物質を効果的に取り除くことができると共に、浄水カートリッジの製造コストを抑えることができると言う観点から、機能Ａ１を備える浄水カートリッジが好ましい。なお、機能Ａ２、Ａ３、Ａ４及びＡ５から選ばれる１以上の機能と機能Ａ１とを備える浄水カートリッジとすることもできる。
【０１１３】
[機能Ｂ]
機能Ｂは、雑貨工業品品質表示規程（改正日：平成２９年３月３０日／施行日：平成２９年４月１日）の別表第二（第二条関連）の「六  浄水器」に定められるろ材及び／又は媒体を使用して浄水を行う機能である。言い換えると、浄水カートリッジは、雑貨工業品品質表示規程（改正日：平成２９年３月３０日／施行日：平成２９年４月１日）の別表第二（第二条関連）の「六  浄水器」に定められるろ材及び／又は媒体を使用して浄水を行う浄水機能部を備えるのが好ましい。
【０１１４】
前記機能Ａ及び／又は機能Ｂを有する浄水機能部は、浄水流路の一部を構成していてもよいし、浄水流路の中に配置されていてもよいし、浄水流路に流通する水溜まり部に配置されていてもよい。
【０１１５】
浄水カートリッジは、その全体が分離不能に一体化された一体タイプであってもよいし、互いに分離しうる複数の部材で構成される複合タイプであってもよい。
【０１１６】
前記複合タイプは、例えば、前記規制解除部を備えるアダプター部材と、カートリッジ本体部とを有する構成とすることができる。アダプター部材は、カートリッジ本体部に連結可能であってもよいし、連結不能であってもよい。換言すれば、アダプター部材は、カートリッジ本体部に装着可能であってもよいし、カートリッジ本体に装着不能であってもよい。アダプター部材がカートリッジ本体部に装着可能である場合、アダプター部材は、カートリッジ本体に取り外し可能に取り付けられてもよいし、取り外し不能に取り付けられてもよい。
【０１１７】
アダプター部材及びカートリッジ本体の構成は限定されず、例えば、以下の構成Ｂ１からＢ４のいずれであってもよい。
Ｂ１：アダプター部材がカートリッジ本体に装着された状態で、カートリッジ装着部に装着する構成。
Ｂ２：先にアダプター部材をカートリッジ装着部に装着して、次にカートリッジ本体をアダプター部材に装着する構成。
Ｂ３：アダプター部材をカートリッジ装着部の一部に装着し、カートリッジ本体をカートリッジ装着部の他部に装着する構成。
Ｂ４：先にアダプター部材をカートリッジ装着部の一部に装着し、次にカートリッジ本体をアダプター部材及びカートリッジ装着部の他部に装着する構成。
【０１１８】
上記構成Ｂ１からＢ４において、アダプター部材は、カートリッジ装着部に取り外し可能に取り付けられる構成であってもよいし、取り外し不能に取り付けられる構成であってもよい。ただし、取り外し不能の場合は、規制部材が前記第２状態のまま保持されてしまう。よって、アダプター部材は、カートリッジ装着部に取り外し可能に取り付けられているのが好ましい。
【０１１９】
上述した実施形態に関して、以下の付記を開示する。
【０１２０】
［付記１］
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部を有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記被規制部材が、原水吐出状態と浄水吐出状態とを切り替えうる切替弁である浄水機能付き吐水ヘッド。
【０１２１】
［付記２］
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部を有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記被規制部材の回転軸が、前後方向に沿った直線である浄水機能付き吐水ヘッド。
【０１２２】
［付記３］
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部と接続端部とを有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記規制部材が、前記浄水カートリッジの前記接続端部を受け入れるカートリッジ受入部を有している浄水機能付き吐水ヘッド。
【０１２３】
［付記４］
前記被規制部材が、前記規制部材の先端部を受け入れる規制部材受入部を有しており、
前記被規制部材及び前記規制部材が、前記浄水流路と前記原水流路とを仕切る流路形成部を構成している付記３に記載の浄水機能付き吐水ヘッド。
【０１２４】
［付記５］
原水流路から吐出される原水吐出状態と浄水流路から吐出される浄水吐出状態とを切り替える切替機構と、
第１状態と第２状態との相互移行が可能であり、前記第１状態では前記切替機構による原水から浄水への切替を規制し、且つ、前記第２状態では前記切替機構による原水から浄水への切替を許容する規制部材と、
前記規制部材を前記第１状態から前記第２状態へと移行させる規制解除部を有する浄水カートリッジと、
カートリッジ装着部と、
を有しており、
前記浄水カートリッジが前記カートリッジ装着部に装着されていないときには前記規制部材が前記第１状態となり、前記浄水カートリッジが前記カートリッジ装着部に装着されているときには前記規制解除部に起因して前記規制部材が前記第２状態となる浄水機能付き吐水ヘッドであって、
前記切替機構が、
回転操作部と、
前記回転操作部に連動して回転し、原水吐出状態では第１回転位置にあり、浄水吐出状態では第２回転位置にある被規制部材とを有しており、
前記第１状態にある前記規制部材は、前記被規制部材の前記第１回転位置から前記第２回転位置への回転を規制しており、
前記第２状態にある前記規制部材は、前記被規制部材の前記第１回転位置から前記第２回転位置への回転を許容しており、
前記第１状態が、前記規制部材の並進移動における第１位置であり、
前記第２状態が、前記規制部材の並進移動における第２位置である浄水機能付き吐水ヘッド。
【０１２５】
［付記６］
前記規制部材が、前記第１位置では前記被規制部材と係合して当該被規制部材の回転を阻止し、前記第２位置では前記被規制部材と係合せず当該被規制部材の回転を許容する規制係合部を有しており、
前記被規制部材が、前記規制部材が前記第１位置にあるとき前記規制係合部と係合する回転阻止部と、前記規制部材が前記第２位置にあるとき前記規制係合部との係合を回避する回転許容部とを有している付記５に記載の浄水機能付き吐水ヘッド。
【０１２６】
［付記７］
前記規制部材と前記被規制部材との間に弾性体が配置されており、
この弾性体が、前記規制部材を第１位置側に付勢している付記５及び６に記載の浄水機能付き吐水ヘッド。
【０１２７】
［付記８］
前記規制部材が、前記浄水カートリッジの前記規制解除部に当接する規制解除当接部を有しており、
前記規制解除部が、前記浄水カートリッジの中心線と同軸の円環面であり、
前記規制解除当接部が、前記浄水カートリッジの中心線と同軸の円環面である付記１から７のいずれか１項に記載の浄水機能付き吐水ヘッド。
【０１２８】
［付記９］
前記操作部の回転軸、前記被規制部材の回転軸、前記規制部材の中心線、及び、前記浄水カートリッジの中心線が同一である付記１から８のいずれか１項に記載の浄水機能付き吐水ヘッド。
【０１２９】
［付記１０］
付記１から９のいずれか１項に記載の浄水機能付き吐水ヘッドを備えた水栓装置。
［付記１１］
付記１から９のいずれか１項に記載の浄水機能付き吐水ヘッドにおける前記カートリッジ装着部に装着される浄水カートリッジであって、
前記規制部材を前記第１状態から前記第２状態へと移行させる前記規制解除部を有している浄水カートリッジ。
［付記１２］
原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジであって、
浄水機能部と、
前記カートリッジ装着部に装着されることで、前記規制部材を前記第１状態から前記第２状態へと移行させる規制解除部と、
前記規制部材に水密に接続される接続端部とを有する浄水カートリッジ。
［付記１３］
原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジであって、
浄水機能部と、
前記浄水機能部の下流側に配置された接続端部と、
前記カートリッジ装着部に装着されることで、前記規制部材を前記第１状態から前記第２状態へと移行させる規制解除部と、を有しており、
前記接続端部が、前記規制部材の内側に挿入される浄水カートリッジ。
［付記１４］
原水流路から吐出される原水吐出状態と浄水流路から吐出される浄水吐出状態とを切り替える切替機構と、第１状態と第２状態との相互移行が可能であり、前記第１状態では前記切替機構による原水から浄水への切替を規制し、且つ、前記第２状態では前記切替機構による原水から浄水への切替を許容する規制部材と、カートリッジ装着部とを有する吐水ヘッドの、前記カートリッジ装着部に装着される浄水カートリッジであって、
浄水機能部と、
前記浄水機能部の下流側に配置された接続端部と、
前記カートリッジ装着部に装着されることで、前記規制部材を前記第１状態から前記第２状態へと移行させる規制解除部と、を有しており、
前記浄水カートリッジの中心線が前記規制部材の中心線と一致するように、前記カートリッジ装着部に配置される、浄水カートリッジ。
［付記１５］
前記第１状態が、前記規制部材の並進移動における第１位置であり、
前記第２状態が、前記規制部材の並進移動における第２位置である、付記１１から１４のいずれか１項に記載の浄水カートリッジ。
【０１３０】
本願には、請求項（独立形式請求項を含む）に係る発明に含まれない他の発明も記載されている。本願の請求項及び実施形態に記載されたそれぞれの形態、部材、構成等は、それぞれが有する作用効果に基づく発明として認識される。
【０１３１】
前記各実施形態で示されたそれぞれの形態、部材、構成等は、これら実施形態の全ての形態、部材又は構成を備えなくても、個々に、本願請求項に係る発明をはじめとした、本願記載の全発明に適用されうる。
【産業上の利用可能性】
【０１３２】
以上説明された方法は、あらゆる用途の水栓に用いられ得る。
【符号の説明】
【０１３３】
２・・・水栓装置
４・・・本体部
６・・・レバーハンドル
８・・・吐水ヘッド
１４・・・回転操作部
４２・・・切替パッキン
４４・・・切替弁（被規制部材）
４６・・・弾性体
５０・・・規制部材
６０・・・カートリッジ装着部
７４ａ・・・回転阻止部
７４ｂ・・・回転許容部
７６・・・規制部材受入部
８０・・・カートリッジ受入部
８８・・・規制係合部
９２・・・規制解除当接部
１０２・・・浄水カートリッジの接続端部
１１８・・・規制解除部
Ｐ１・・・規制部材の第１位置
Ｐ２・・・規制部材の第２位置
Ｒ１・・・切替弁（被規制部材）の第１回転位置
Ｒ２・・・切替弁（被規制部材）の第２回転位置
ＰＣ１・・・浄水カートリッジ
ＷＧ・・・原水流路
ＷＪ・・・浄水流路
【図１】
2020079510.tif 000003
【図２】
2020079510.tif 000004
【図３】
2020079510.tif 000005
【図４】
2020079510.tif 000006
【図５】
2020079510.tif 000007
【図６】
2020079510.tif 000008
【図７】
2020079510.tif 000009
【図８】
2020079510.tif 000010
【図９】
2020079510.tif 000011